【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
カラーモードおよび画像サイズを指定する属性が付加された画像データを含む印刷データを受信する印刷データ受信部と、
前記カラーモードおよび前記画像サイズに基づいて、前記画像データの妥当性を判定する妥当性判定部と、
前記画像データが妥当と判定された場合、前記画像データを、前記カラーモードに対応した制御コマンドに変換し、画像印刷コマンドを生成するコマンド生成部と、
前記画像印刷コマンドを、印刷装置に送信するコマンド送信部と、を備えたことを特徴とする印刷制御装置。
【請求項２】
前記印刷データは、マークアップ言語で記述され、
前記妥当性判定部は、前記画像データのデータ量が、前記カラーモードに応じた１画素あたりのデータ量と、前記画像サイズとの乗算値に等しい場合、前記画像データが妥当であると判定する請求項１に記載の印刷制御装置。
【請求項３】
前記画像サイズおよび前記カラーモードが前記マークアップ言語の要素の属性として記述され、前記画像データが要素の内容として記述される請求項２に記載の印刷制御装置。
【請求項４】
前記コマンド生成部は、前記画像データが送信されたとき、前記画像印刷コマンドの生成前に、所定の印刷データに前記印刷装置の状態を取得するための状態取得コマンドを付加した印刷前コマンドを生成し、
前記コマンド送信部は、前記印刷前コマンドを、前記印刷装置に送信し、
前記印刷前コマンドに対する応答に基づいて、前記印刷装置が印刷不可能な状態であると判定した場合、印刷中止処理を行う印刷中止処理部と、を備え、
前記印刷中止処理は、印刷中止を前記印刷データの送信元に通知する処理と、前記印刷装置への前記画像印刷コマンドの送信を中止する処理を含む請求項１ないし３のいずれか１項に記載の印刷制御装置。
【請求項５】
カラーモードおよび画像サイズを指定する属性が付加された画像データを含む印刷デー
タを送信するホストと、
前記印刷データを印刷する印刷装置と、
前記ホストから前記印刷データを受信する印刷データ受信部、前記カラーモードおよび前記画像サイズに基づいて前記画像データの妥当性を判定する妥当性判定部、前記画像データが妥当と判定された場合は前記画像データを前記カラーモードに対応した制御コマンドに変換して画像印刷コマンドを生成するコマンド生成部、及び前記画像印刷コマンドを前記印刷装置に送信するコマンド送信部を有する印刷制御装置と、を備えたことを特徴とする印刷システム。
【請求項６】
前記印刷データは、マークアップ言語で記述され、
前記妥当性判定部は、前記画像データのデータ量が、前記カラーモードに応じた１画素あたりのデータ量と、前記画像サイズとの乗算値に等しい場合、前記画像データが妥当であると判定する請求項５に記載の印刷システム。
【請求項７】
前記画像サイズおよび前記カラーモードが前記マークアップ言語の要素の属性として記述され、前記画像データが要素の内容として記述される請求項６に記載の印刷システム。
【請求項８】
前記コマンド生成部は、前記ホストから前記画像データが送信されたとき、前記画像印刷コマンドの生成前に、所定の印刷データに前記印刷装置の状態を取得するための状態取得コマンドを付加した印刷前コマンドを生成し、
前記コマンド送信部は、前記印刷前コマンドを、前記印刷装置に送信し、
前記印刷前コマンドに対する応答に基づいて、前記印刷装置が印刷不可能な状態であると判定した場合、印刷中止処理を行う印刷中止処理部と、を備え、
前記印刷中止処理は、印刷中止を前記印刷データの送信元となる前記ホストに通知する処理と、前記印刷装置への前記画像印刷コマンドの送信を中止する処理を含む請求項５ないし７のいずれか１項に記載の印刷システム。
【請求項９】
前記ホストは、Ｗｅｂブラウザーを動作させるブラウザー制御部を備えると共に、前記印刷制御装置は、ＨＴＴＰサーバーを備え、
前記ホストは、
前記Ｗｅｂブラウザーで動作するスクリプトまたはプラグインを用いて前記画像データを生成し、前記印刷制御装置に対してＨＴＴＰによる印刷要求を行う請求項５ないし８のいずれか１項に記載の印刷システム。
【請求項１０】
カラーモードおよび画像サイズを指定する属性が付加された画像データを含む印刷データを受信し、
前記カラーモードおよび前記画像サイズに基づいて、前記画像データの妥当性を判定し、
前記画像データが妥当と判定された場合、前記画像データを、前記カラーモードに対応した制御コマンドに変換して画像印刷コマンドを生成し、
前記画像印刷コマンドを、印刷装置に送信することを特徴とする印刷制御方法。
【請求項１１】
前記印刷データは、マークアップ言語で記述され、
前記画像データの妥当性の判定は、前記画像データのデータ量が、前記カラーモードに応じた１画素あたりのデータ量と、前記画像サイズとの乗算値に等しい場合、前記画像データが妥当であると判定する請求項１０に記載の印刷制御方法。
【請求項１２】
前記画像サイズおよび前記カラーモードが前記マークアップ言語の要素の属性として記述され、前記画像データが要素の内容として記述される請求項１１に記載の印刷制御方法。
【請求項１３】
前記画像印刷コマンドの生成は、前記画像データが送信されたとき、前記画像印刷コマンドの生成前に、所定の印刷データに前記印刷装置の状態を取得するための状態取得コマンドを付加した印刷前コマンドを生成し、
前記画像印刷コマンドの送信は、前記印刷前コマンドを、前記印刷装置に送信し、
前記印刷前コマンドに対する応答に基づいて、前記印刷装置が印刷不可能な状態であると判定した場合、印刷中止処理を行い、
前記印刷中止処理は、印刷中止を前記印刷データの送信元に通知する処理と、前記印刷装置への前記画像印刷コマンドの送信を中止する処理を含む請求項１０ないし１２のいずれか１項に記載の印刷制御方法。
【手続補正２】
【補正対象書類名】明細書
【補正対象項目名】０００６
【補正方法】変更
【補正の内容】
【０００６】
本発明の印刷制御装置は、カラーモードおよび画像サイズを指定する属性が付加された画像データを含む印刷データを受信する印刷データ受信部と、カラーモードおよび画像サイズに基づいて、画像データの妥当性を判定する妥当性判定部と、画像データが妥当と判定された場合、画像データを、カラーモードに対応した制御コマンドに変換し、画像印刷コマンドを生成するコマンド生成部と、画像印刷コマンドを、印刷装置に送信するコマンド送信部と、を備えたことを特徴とする。
【手続補正３】
【補正対象書類名】明細書
【補正対象項目名】０００７
【補正方法】変更
【補正の内容】
【０００７】
本発明の印刷制御方法は、カラーモードおよび画像サイズを指定する属性が付加された画像データを含む印刷データを受信し、カラーモードおよび画像サイズに基づいて、画像データの妥当性を判定し、画像データが妥当と判定された場合、画像データを、カラーモードに対応した制御コマンドに変換して画像印刷コマンドを生成し、画像印刷コマンドを、印刷装置に送信することを特徴とする。
【手続補正４】
【補正対象書類名】明細書
【補正対象項目名】０００９
【補正方法】変更
【補正の内容】
【０００９】
上記の印刷制御装置において、印刷データは、マークアップ言語で記述され、  妥当性判定部は、画像データのデータ量が、カラーモードに応じた１画素あたりのデータ量と、画像サイズとの乗算値に等しい場合、画像データが妥当であると判定することを特徴とする。
【手続補正５】
【補正対象書類名】明細書
【補正対象項目名】００１３
【補正方法】変更
【補正の内容】
【００１３】
上記の印刷制御装置において、コマンド生成部は、画像データが送信されたとき、画像印刷コマンドの生成前に、所定の印刷データに印刷装置の状態を取得するための状態取得コマンドを付加した印刷前コマンドを生成し、コマンド送信部は、印刷前コマンドを、印刷装置に送信し、印刷前コマンドに対する応答に基づいて、印刷装置が印刷不可能な状態であると判定した場合、印刷中止処理を行う印刷中止処理部と、を備え、印刷中止処理は、印刷中止を印刷データの送信元に通知する処理と、印刷装置への画像印刷コマンドの送信を中止する処理が含まれることを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００１７
【補正方法】変更
【補正の内容】
【００１７】
本発明の印刷システムは、カラーモードおよび画像サイズを指定する属性が付加された画像データを含む印刷データを送信するホストと、印刷データを印刷する印刷装置と、ホストから印刷データを受信する印刷データ受信部、カラーモードおよび画像サイズに基づいて画像データの妥当性を判定する妥当性判定部、画像データが妥当と判定された場合は画像データをカラーモードに対応した制御コマンドに変換して画像印刷コマンドを生成するコマンド生成部、及び画像印刷コマンドを印刷装置に送信するコマンド送信部を有する印刷制御装置と、を備えたことを特徴とする。
上記の印刷システムにおいて、ホストは、Ｗｅｂブラウザーを動作させるブラウザー制御部を備えると共に、印刷制御装置は、ＨＴＴＰサーバーを備え、ホストは、Ｗｅｂブラウザーで動作するスクリプトまたはプラグインを用いて画像データを生成し、印刷制御装置に対してＨＴＴＰによる印刷要求を行うことを特徴とする。
【手続補正８】
【補正対象書類名】明細書
【補正対象項目名】０１０９
【補正方法】変更
【補正の内容】
【０１０９】
なお、第４実施形態の構成は、ホスト２０に印刷ドライバーを必要としないため、第３実施形態と同様に、ドライバーレスのプラットフォーム上で動作するホスト２０を用いた場合に好適である。また、上記の第４実施形態では、指定されたカラーモードが、指定された印刷装置３２のコマンド体系に対応していない場合、そのカラーモードが付加された画像データを無視するものとしたが、画像データを含む印刷データ全体の印刷を中止しても良い。
【手続補正９】
【補正対象書類名】図面
【補正対象項目名】図１２
【補正方法】変更
【補正の内容】
【図１２】
2013214228.tif 000001
【手続補正１０】
【補正対象書類名】図面
【補正対象項目名】図１５
【補正方法】変更
【補正の内容】
【図１５】
2013214228.tif 000002